(57)【要約】【課題】加熱炉の温度を上昇させる以外の方法で揮発性成分の揮発率を向上させることができる揮発性成分含有物質の処理システムを提供する。【解決手段】本発明の揮発性成分含有物質の処理システムは、揮発性成分含有物質を輸送するコンベア１３および揮発性成分含有物質を加熱する加熱炉１６を備える加熱装置１０を含み、コンベア１３による揮発性成分含有物質の輸送方向は、水平面に対して輸送方向が下方に向かう方向に傾斜している。【選択図】図２
2015178434.tif 000002
【特許請求の範囲】
【請求項１】
揮発性成分含有物質を輸送するコンベアおよび前記揮発性成分含有物質を加熱する加熱炉を備える加熱装置を含み、
前記コンベアによる前記揮発性成分含有物質の輸送方向は、水平面に対して前記輸送方向が下方に向かう方向に傾斜している、揮発性成分含有物質の処理システム。
【請求項２】
前記コンベアによる前記揮発性成分含有物質の輸送方向と水平面との間の傾斜角度を、前記輸送方向が下方に向かう方向に調整する傾斜角度調整装置をさらに含む、請求項１に揮発性成分含有物質の処理システム。
【請求項３】
前記揮発性成分含有物質から揮発した揮発性成分を回収する揮発性成分回収装置をさらに含む、請求項１または２に記載の揮発性成分含有物質の処理システム。
【請求項４】
前記加熱装置により加熱される前の前記揮発性成分含有物質中の揮発性成分の濃度および前記加熱装置により加熱された後の前記揮発性成分含有物質中の揮発性成分の濃度を測定する揮発性成分分析装置をさらに含み、
前記傾斜角度調整装置は、前記揮発性成分分析装置により測定された、前記加熱装置により加熱される前の前記揮発性成分含有物質中の揮発性成分の濃度と前記加熱装置により加熱された後の前記揮発性成分含有物質中の揮発性成分の濃度とから算出した揮発性成分揮発率に基づいて、前記コンベアによる前記揮発性成分含有物質の輸送方向と水平面との間の傾斜角度を調整する、請求項２に記載の揮発性成分含有物質の処理システム。
【請求項５】
前記加熱装置により加熱される前の前記揮発性成分含有物質中の揮発性成分の濃度および前記加熱装置により加熱された後の前記揮発性成分含有物質中の揮発性成分の濃度を測定する揮発性成分分析装置をさらに含み、
前記傾斜角度調整装置は、前記揮発性成分分析装置により測定された、前記加熱装置により加熱された後の前記揮発性成分含有物質中の揮発性成分の濃度と前記加熱装置により加熱される前の前記揮発性成分含有物質中の揮発性成分の濃度との間の濃度差に、前記加熱装置に供給される前記揮発性成分含有物質の単位時間当たりの供給量または前記加熱装置から排出される前記揮発性成分含有物質の単位時間当たりの排出量をかけ算して算出した揮発性成分除去量に基づいて、前記コンベアによる前記揮発性成分含有物質の輸送方向と水平面との間の傾斜角度を調整する、請求項２に記載の揮発性成分含有物質の処理システム。
【発明の詳細な説明】
【技術分野】
【０００１】
本発明は、揮発性成分含有物質から揮発性成分を除去する、揮発性成分含有物質の処理システムに関する。
【背景技術】
【０００２】
セメント製造では、水銀などの揮発性成分を微量に含有する天然および廃棄物系の原燃料を使用しているため、セメントの焼成工程で使用されるセメントキルンから排出されるセメントキルン排ガスには揮発性成分が含まれている。このような揮発性成分による環境負荷を低減するためには、セメントキルン排ガスから揮発性成分を除去して回収する必要がある。しかし、セメントキルン排ガスに低濃度で含まれている揮発性成分を、大量に発生するセメントキルン排ガスから除去することは難しい。このため、従来から、セメントキルン排ガスから揮発性成分を除去する様々な方法が提案されてきた（たとえば、特許文献１参照）。
【０００３】
特許文献１に記載の揮発性物質の除去方法では、内部にスクリューフィーダを備えた加熱炉を使用して集塵ダストの揮発性物質を除去している。集塵ダストはスクリューフィーダにより加熱炉の中を移動する。移動している間に集塵ダストは加熱され、集塵ダストから揮発性物質が揮発し、集塵ダストから揮発性物質が除去される。そして、集塵ダストはさらに移動して、加熱炉の排出口から排出され、粉砕装置に移送される。
【先行技術文献】
【特許文献】
【０００４】
【特許文献１】特開２００２−３５５５３１号公報
【発明の概要】
【発明が解決しようとする課題】
【０００５】
集塵ダストにおける揮発性物質の揮発率を向上させるためには、揮発性物質の揮発を促進させるために加熱炉の温度を上昇させればよい。しかし、加熱炉の熱源としてニクロム線およびカンタル線などの発熱体を用いた加熱炉の場合、加熱炉の温度を上昇させると、加熱炉に供給する電力量が増加し、加熱炉の熱源として石油バーナーおよびガスバーナーなどを用いた加熱炉の場合、燃料消費量が増加し、集塵ダストから揮発性物質を除去するためのコストが上昇する。そこで、本発明は、加熱炉の温度を上昇させる以外の方法で揮発性成分の揮発率を向上させることができる揮発性成分含有物質の処理システムを提供することを目的とする。
【課題を解決するための手段】
【０００６】
本発明者らは、鋭意研究を行った結果、加熱装置における揮発性成分含有物質の輸送方向を水平面に対して傾斜させることにより、揮発性成分の揮発率を変えられることを見出し、本発明を完成させた。すなわち、本発明は以下のとおりである。
［１］揮発性成分含有物質を輸送するコンベアおよび揮発性成分含有物質を加熱する加熱炉を備える加熱装置を含み、コンベアによる揮発性成分含有物質の輸送方向は、水平面に対して輸送方向が下方に向かう方向に傾斜している、揮発性成分含有物質の処理システム。
［２］コンベアによる揮発性成分含有物質の輸送方向と水平面との間の傾斜角度を、輸送方向が下方に向かう方向に調整する傾斜角度調整装置をさらに含む、揮発性成分含有物質の処理システム。
［３］揮発性成分含有物質から揮発した揮発性成分を回収する揮発性成分回収装置をさらに含む、上記［１］または［２］に記載の揮発性成分含有物質の処理システム。
［４］加熱装置により加熱される前の揮発性成分含有物質中の揮発性成分の濃度および加熱装置により加熱された後の揮発性成分含有物質中の揮発性成分の濃度を測定する揮発性成分分析装置をさらに含み、傾斜角度調整装置は、揮発性成分分析装置により測定された、加熱装置により加熱される前の揮発性成分含有物質中の揮発性成分の濃度と加熱装置により加熱された後の揮発性成分含有物質中の揮発性成分の濃度とから算出した揮発性成分揮発率に基づいて、コンベアによる揮発性成分含有物質の輸送方向と水平面との間の傾斜角度を調整する、上記［２］に記載の揮発性成分含有物質の処理システム。
［５］加熱装置により加熱される前の揮発性成分含有物質中の揮発性成分の濃度および加熱装置により加熱された後の揮発性成分含有物質中の揮発性成分の濃度を測定する揮発性成分分析装置をさらに含み、傾斜角度調整装置は、揮発性成分分析装置により測定された、加熱装置により加熱された後の揮発性成分含有物質中の揮発性成分の濃度と加熱装置により加熱される前の揮発性成分含有物質中の揮発性成分の濃度との間の濃度差に、加熱装置に供給される揮発性成分含有物質の単位時間当たりの供給量または加熱装置から排出される揮発性成分含有物質の単位時間当たりの排出量をかけ算して算出した揮発性成分除去量に基づいて、コンベアによる揮発性成分含有物質の輸送方向と水平面との間の傾斜角度を調整する、上記［２］に記載の揮発性成分含有物質の処理システム。
【発明の効果】
【０００７】
本発明によれば、加熱炉の温度を上昇させる以外の方法で揮発性成分の揮発率を向上させることができる揮発性成分含有物質の処理システムを提供することができる。
【図面の簡単な説明】
【０００８】
【図１】図１は、本発明の一実施形態における、揮発性成分含有物質の処理システムを示す概略図である。
【図２】図２は、本発明の一実施形態における揮発性成分含有物質の処理システムの加熱装置および傾斜角度調整装置を説明するための図である。
【発明を実施するための形態】
【０００９】
［揮発性成分含有物質の処理システム］
本発明の一実施形態における揮発性成分含有物質の処理システムは、傾斜角度調整装置を使用して、加熱装置における揮発性成分含有物質の輸送方向を水平面に対して傾斜させることにより、揮発性成分の揮発率を向上させることができる。以下、図１を参照して、本発明の一実施形態における揮発性成分含有物質の処理システムを説明する。図１は、本発明の一実施形態における揮発性成分含有物質の処理システムを示す概略図である。図１の符号Ｄは揮発性成分含有物質を示し、Ｖは揮発性成分を示す。
【００１０】
揮発性成分含有物質の処理システム１は加熱装置１０および傾斜角度調整装置２０を含む。所望により、処理システム１は揮発性成分回収装置３０をさらに含んでもよい。また、所望により、処理システム１は揮発性成分分析装置４０をさらに含んでもよい。なお、本発明の一実施形態の揮発性成分含有物質の処理システムは、本発明の揮発性成分含有物質の処理システムの一例であり、本発明の揮発性成分含有物質の処理システムは、本発明の一実施形態の揮発性成分含有物質の処理システムに限定されない。
【００１１】
（加熱装置）
加熱装置１０は、揮発性成分含有物質を輸送するコンベアおよび揮発性成分含有物質を加熱する加熱炉を備え、揮発性成分含有物質を輸送しながら加熱する。
【００１２】
揮発性成分含有物質は、たとえば、セメントキルンから排出された排ガスに含まれるダストを集塵する集塵装置Ｋなどから加熱装置１０に供給される。揮発性成分含有物質は揮発性成分を含有する粉粒体である。揮発性成分含有物質の粒子径は、たとえば０．１μｍ〜２０ｍｍである。揮発性成分含有物質には、たとえば、揮発性成分を含有する廃棄物（焼却灰、各種の汚泥および建設発生土など）、セメント製造用の固体原料および燃料、ならびにセメント製造設備の排ガス処理系統（たとえば、キルン排ガス系統に設置されている予熱器、沈降室、スタビライザー、ミル、ドライヤーおよび集塵機など）で捕集されるダスト（たとえば、セメント原料として利用されるもの）などが挙げられる。揮発性成分には、たとえば、水銀およびタリウムなどの重金属、およびこれらの重金属の塩化物などが挙げられる。
【００１３】
加熱装置１０のコンベアは、揮発性成分含有物質を所定の方向に輸送できれば、とくに限定されない。たとえば、コンベアには、スクリューコンベア、パドル式コンベアおよび振動コンベアなどが挙げられる。
【００１４】
加熱装置１０の加熱炉は、上記コンベアにより輸送中の揮発性成分含有物質を加熱できるとともに揮発性成分含有物質の加熱温度を制御できるものであればとくに限定されない。たとえば、加熱炉には、Ｎｉ−Ｃｒ系金属発熱体、Ｆｅ−Ｃｒ−Ａｌ系金属発熱体、Ｍｏ発熱体、Ｗ発熱体、Ｐｔ発熱体、ＭｏＳｉ2発熱体、ＳｉＣ発熱体、Ｃ発熱体、ＺｒＯ2発熱体およびランタンクロマイト発熱体などの発熱体を備えた加熱ヒーターなどが挙げられる。
【００１５】
図２を参照して加熱装置１０を詳細に説明する。図２は、本発明の一実施形態における揮発性成分含有物質の処理システムの加熱装置および傾斜角度調整装置を説明するための図である。図２には、加熱装置１０の一例の内部構造が示されている。図２の符号Ｄは揮発性成分含有物質を示し、符号Ｖは揮発性成分を示す。なお、図２に示す加熱装置１０はあくまでも一例であり、本発明の揮発性成分含有物質の処理システムの加熱装置は、揮発性成分含有物質を輸送しながら加熱することができれば、図２に示す加熱装置１０に限定されない。
【００１６】
図２に示す加熱装置１０は、揮発性成分含有物質導入部１１、本体部１２、スクリューコンベア１３、揮発性成分含有物質排出部１４、揮発性成分排出部１５および加熱ヒーター１６を備える。揮発性成分含有物質導入部１１は、本体部１２の一方の端１７側の上部に設けられ、集塵装置Ｋなどから供給された揮発性成分含有物質を、本体部１２の中に導入するための導入口である。
【００１７】
本体部１２は、円筒の形状を有している。揮発性成分含有物質は本体部１２の中で輸送されるとともに加熱される。本体部１２の内部には、本体部１２の長さ方向に沿って、スクリューコンベア１３が設けられている。スクリューコンベア１３は、ねじ羽根を取り付けたシャフトの回転によって、本体部１２の一方の端１７側から他方の端１８側に、揮発性成分含有物質を、本体部１２の長さ方向に沿って輸送する。本体部１２の長手方向の真ん中付近に、本体部１２の外周に沿って加熱ヒーター１６が配置されている。加熱ヒーター１６は、本体部１２の外部から本体部１２の内部にある揮発性成分含有物質を加熱する。
【００１８】
揮発性成分含有物質排出部１４は、本体部１２の他方の端１８側の下部に設けられ、揮発性成分が揮発した物質を本体部１２から排出するための排出口である。揮発性成分排出部１５は、本体部１２の他方の端１８側の上部に設けられ、揮発性成分含有物質から揮発した揮発性成分を本体部１２から排出するための排出口である。揮発性成分排出部１５は不図示の吸引ファンと接続しており、吸引により揮発性成分含有物質から揮発した揮発性成分は揮発性成分排出部１５に導かれる。
【００１９】
揮発性成分含有物質導入部１１から本体部１２に導入された揮発性成分含有物質は、スクリューコンベア１３により、本体部１２の一方の端１７側から他方の端１８側へ、徐々に移動する。揮発性成分含有物質が、加熱ヒーター１６が配置されている領域に移動すると、加熱ヒーター１６が発生する熱により、揮発性成分含有物質中の揮発性成分は揮発する。加熱ヒーター１６により揮発性成分が揮発した揮発性成分含有物質は、揮発性成分含有物質排出部１４に移動し、本体部１２（加熱装置１０）から排出される。また、揮発性成分含有物質から揮発した揮発性成分は、揮発性成分排出部１５を通過して本体部１２（加熱装置１０）から排出される。
【００２０】
加熱装置１０により揮発性成分含有物質を加熱するときの本体部１２の内部温度は、たとえば揮発性成分含有物質がセメントキルンから排出される集塵ダストであり、揮発性成分が水銀である場合、好ましくは３００〜６００℃であり、より好ましくは３００〜４５０℃である。本体部１２の内部温度を３００〜６００℃にすることにより、揮発性成分含有物質から揮発性成分を効率的に揮発させることができる。
【００２１】
図１に示すように、加熱装置１０から排出された揮発性成分は揮発性成分回収装置３０に移送される。加熱装置１０から排出された揮発性成分含有物質は、たとえばセメント原料Ｌとして使用される。
【００２２】
（傾斜角度調整装置）
傾斜角度調整装置２０は、コンベアによる揮発性成分含有物質の輸送方向と水平面との間の傾斜角度を、輸送方向が下方に向かう方向に調整することができる。傾斜角度調整装置２０は、コンベアによる揮発性成分含有物質の輸送方向と水平面との間の傾斜角度を、輸送方向が下方に向かう方向に調整することができればとくに限定されない。ここで、輸送方向とは、揮発性成分含有物質が輸送される方向である。たとえば、コンベアがスクリューコンベアおよびパドル式コンベアである場合、スクリューコンベアのシャフトが延びている方向であり、コンベアが振動コンベアである場合、振動するトラフが延びている方向である。また、輸送方向が下方に向かう方向とは、輸送方向が下るようになる方向である。
【００２３】
傾斜角度調整装置２０は、加熱装置１０を傾斜させることにより、コンベアによる揮発性成分含有物質の輸送方向と水平面との間の傾斜角度を、輸送方向が下方に向かう方向に調整してもよい。また、傾斜角度調整装置２０は、加熱装置１０を傾斜させずに、コンベアを傾斜させることにより、コンベアによる揮発性成分含有物質の輸送方向と水平面との間の傾斜角度を、輸送方向が下方に向かう方向に調整してもよい。さらに、傾斜角度調整装置２０は、加熱装置１０を傾斜させ、さらに加熱装置１０におけるコンベアの相対的な
傾きを変えることにより、コンベアによる揮発性成分含有物質の輸送方向と水平面との間の傾斜角度を、輸送方向が下方に向かう方向に調整してもよい。
【００２４】
加熱装置を傾斜させる方法には、たとえば油圧シリンダの伸長および油圧ジャッキの伸長などにより、加熱装置１０の一方の端の高さを、他方の端の高さに対して変えることにより、または、ワイヤーを利用してウインチで巻き上げることにより加熱装置１０の一方の端側を吊り上げて、加熱装置１０の一方の端の高さを、他方の端の高さに対して変えることにより、揮発性成分含有物質の輸送方向の傾斜角度を、輸送方向が下方に向かう方向に調整する方法などがある。また、加熱装置１０を傾斜させずに、コンベアを傾斜させる方法には、たとえば、コンベアの一方の端を上下方向に可動にする方法などが挙げられる。
【００２５】
傾斜角度調整装置２０が、コンベアによる揮発性成分含有物質の輸送方向と水平面との間の傾斜角度を、輸送方向が下方に向かう方向に調整することにより、揮発性成分含有物質における揮発性成分の揮発率を向上させることができる。以下の原理は本発明を限定するものではないが、この揮発性成分の揮発率の向上は、輸送方向が下方に向かう方向に傾いているので、コンベアにより輸送中の揮発性成分含有物質になだれ現象が生じ、これにより揮発性成分含有物質が攪拌され、揮発性成分の揮発性成分含有物質からの揮発が促進されるためであると推測される。このなだれ現象が起こる上記傾斜角度は、コンベアの種類および加熱装置１０に投入される揮発性成分含有物質の投入量、含水率、粒度分布および安息角により変わると考えられる。したがって、コンベアの種類および加熱装置１０に投入される揮発性成分含有物質の投入量、含水率、粒度分布および安息角によって、上記傾斜角度を決定するようにしてもよい。
【００２６】
図２を参照して傾斜角度調整装置２０を詳細に説明する。図２は、本発明の一実施形態における揮発性成分含有物質の処理システムの加熱装置および傾斜角度調整装置を説明するための図である。なお、図２に示す傾斜角度調整装置２０はあくまでも一例であり、本発明の揮発性成分含有物質の処理システムにおける傾斜角度調整装置は、コンベアによる揮発性成分含有物質の輸送方向と水平面との間の傾斜角度を、輸送方向が下方に向かう方向に調整することができれば、図２に示す傾斜角度調整装置２０に限定されない。
【００２７】
傾斜角度調整装置２０は、加熱装置１０の本体部１２の下に設けられ、油圧シリンダ２１の伸長により、加熱装置１０の一方の端１７の高さを、他方の端１８の高さよりも高くなるように変えることにより、加熱装置１０の傾斜角度を、輸送方向が下方に向かう方向に調整することができる。すなわち、傾斜角度調整装置２０は、加熱装置１０を傾斜させることにより、スクリューコンベア１３による揮発性成分含有物質の輸送方向と水平面との間の傾斜角度を、輸送方向が下方に向かう方向に調整することができる。
【００２８】
傾斜角度調整装置２０による加熱装置１０の傾斜によって、スクリューコンベア１３により輸送中の揮発性成分含有物質になだれ現象が生じる。このなだれ現象により揮発性成分含有物質は撹拌され、揮発性成分含有物質からの揮発性成分の揮発が促進され、揮発性成分含有物質の揮発性成分の揮発率が向上すると推測できる。しかし、傾斜角度調整装置２０による加熱装置１０の傾斜が大きすぎると、揮発性成分含有物質の移動速度が非常に速くなり、揮発性成分含有物質は、揮発性成分が十分揮発されないうちに、揮発性成分含有物質排出部１４に達してしまい、本体部１２から排出される。このため、傾斜角度調整装置２０による加熱装置１０の傾斜が大きすぎると、揮発性成分含有物質の揮発性成分の揮発率が、かえって減少すると予想される。
【００２９】
コンベアによる揮発性成分含有物質の輸送方向と水平面との間の傾斜角度の好ましい傾斜角度は、たとえば以下の方法で設定することができる。傾斜角度調整装置２０を使用して揮発性成分含有物質の輸送方向と水平面との間の傾斜角度を、０°から輸送方向が下方に向かう方向に徐々に変えていき、それぞれの傾斜角度において加熱装置１０により処理された揮発性成分含有物質中の揮発性成分の含有率を測定する。そして、揮発性成分の含有率がもっとも低くなったときの傾斜角度を好ましい傾斜角度として設定する。そして、コンベアによる揮発性成分含有物質の輸送方向と水平面との間の傾斜角度がこの好ましい傾斜角度なるように傾斜角度を設定して、揮発性成分含有物質の揮発性成分の除去処理を開始する。また、後述の揮発性成分揮発率または揮発性成分除去量がもっとも高くなったときの傾斜角度を好ましい傾斜角度として設定して、揮発性成分含有物質の揮発性成分の除去処理を開始してもよい。なお、この場合は、好ましい傾斜角度を設定後、揮発性成分の除去処理をしているとき、処理システム１は、後述の揮発性成分分析装置、後述の揮発性成分含有物質供給量測定装置および後述の揮発性成分含有物質排出量測定装置を含まなくてもよい。
【００３０】
（揮発性成分回収装置）
揮発性成分回収装置３０は、揮発性成分含有物質から揮発した揮発性成分を回収する。揮発性成分回収装置３０には、たとえば、セメントの製造工程で、揮発性成分回収装置として通常用いられるものなどが使用される。揮発性成分回収装置３０は、たとえば、活性炭などの吸着剤に揮発性成分を吸着させて揮発性成分を回収する。また、揮発性成分回収装置３０は、揮発性成分を含有する加熱装置１０の排気を該揮発性成分の飽和温度以下に冷却し、凝縮して回収してもよい。
【００３１】
（揮発性成分分析装置）
揮発性成分分析装置４０は、加熱装置１０により加熱される前の揮発性成分含有物質中の揮発性成分の濃度および加熱装置１０により加熱された後の揮発性成分含有物質中の揮発性成分の濃度を測定する。揮発性成分分析装置４０は、物質中の揮発性成分の濃度を測定できるものであれば、とくに限定されない。たとえば、揮発性成分分析装置４０は、原子吸光法で揮発性成分含有物質中の揮発性成分の濃度を測定してもよい。
【００３２】
揮発性成分分析装置４０により測定された、加熱装置１０により加熱される前の揮発性成分含有物質中の揮発性成分の濃度と加熱装置１０により加熱された後の揮発性成分含有物質中の揮発性成分の濃度とから算出した揮発性成分揮発率に基づいて、傾斜角度調整装置２０は、コンベアによる揮発性成分含有物質の輸送方向と水平面との間の傾斜角度を調整するようにしてもよい。揮発性成分揮発率は、加熱装置１０により加熱される前の揮発性成分含有物質中の揮発性成分の濃度をＡ（ｍｇ／ｋｇ）とし、加熱装置１０により加熱された後の揮発性成分含有物質中の揮発性成分の濃度をＢ（ｍｇ／ｋｇ）とした場合、（Ａ−Ｂ）／Ａ×１００の式で算出される。これにより、加熱装置１０への揮発性成分含有物質の投入量、揮発性成分含有物質の安息角ならびに揮発性成分含有物質の濃度が変化しても、コンベアによる揮発性成分含有物質の輸送方向と水平面との間の傾斜角度を、揮発性成分揮発率が目標値以上になるように傾斜角度を調整することができる。
【００３３】
傾斜角度調整装置２０は、揮発性成分分析装置４０により測定された、加熱装置１０により加熱された後の揮発性成分含有物質中の揮発性成分の濃度と加熱装置１０により加熱される前の揮発性成分含有物質中の揮発性成分の濃度との間の濃度差に、加熱装置１０に供給される揮発性成分含有物質の単位時間当たりの供給量または加熱装置１０から排出される揮発性成分含有物質の単位時間当たりの排出量をかけ算して算出した揮発性成分除去量に基づいて、コンベアによる揮発性成分含有物質の輸送方向と水平面との間の傾斜角度を調整するようにしてもよい。これにより、加熱装置１０への揮発性成分含有物質の投入量、揮発性成分含有物質の含水率、粒度分布および安息角ならびに揮発性成分含有物質の濃度が変化しても、コンベアによる揮発性成分含有物質の輸送方向と水平面との間の傾斜角度を、揮発性成分含有物質における揮発性成分除去量が目標値以上になるように傾斜角度を調整することができる。
【００３４】
加熱装置１０に供給される揮発性成分含有物質の単位時間当たりの供給量は、たとえば、加熱装置１０の上流にコンベヤスケールを設けることにより測定できる。また、加熱装置１０から排出される揮発性成分含有物質の単位時間当たりの排出量も同様に、たとえば、加熱装置１０の下流側にコンベヤスケールを設けることにより測定できる。
【００３５】
本発明の一実施形態における揮発性成分含有物質の処理システムを次のように変形することができる。
［変形例］
揮発性成分含有物質を輸送するコンベアおよび揮発性成分含有物質を加熱する加熱炉を備える加熱装置を含み、コンベアによる揮発性成分含有物質の輸送方向が、水平面に対して輸送方向が下方に向かう方向に傾斜していれば、本発明は、上述の本発明の一実施形態における揮発性成分含有物質の処理システムに限定されない。たとえば、揮発性成分含有物質の処理システムは、傾斜角度調整装置を含まなくてもよい。この場合、コンベアによる揮発性成分含有物質の輸送方向が、水平面に対して輸送方向が下方に向かう方向に傾斜するように、加熱装置を予め固定して設置するようにしてもよい。すなわち、この場合、コンベアによる揮発性成分含有物質の輸送方向と水平面との間の傾斜角度は一定であり、変更することはできない。この場合のコンベアによる揮発性成分含有物質の輸送方向と水平面との間の傾斜角度は、たとえば、好ましくは５〜１５°であり、より好ましくは５〜１０°である。
【実施例】
【００３６】
以下、実施例により本発明をさらに詳細に説明する。なお、実施例は、本発明を限定するものではない。
【００３７】
集塵装置によってセメントキルンからの排ガスから除去された、水銀を含む集塵ダストを用いて、図１に示す揮発性成分含有物質の処理システムおよび図２に示す加熱装置および傾斜角度調整装置を使用して、集塵ダストの処理を実施した。加熱装置における集塵ダストの処理量は１４ｋｇ／時間であった。加熱装置の設定温度は４２０℃または４５０℃であった。傾斜角度調整装置の油圧シリンダの長さを変えて、集塵ダストの輸送方向と水平面との間の傾斜角度を０°、５°、１０°および１５°に調整した。水銀分析装置（日本インスツルメンツ社製、型番：ＭＡ−２０００）を使用して、各加熱装置の各設定温度および揮発性成分含有物質の輸送方向の各傾斜角度における、加熱装置により加熱される前の集塵ダストの水銀濃度（Ａ）（ｍｇ／ｋｇ）と、加熱装置により加熱された後の集塵ダストの水銀濃度（Ｂ）（ｍｇ／ｋｇ）とを測定した。そして、下記の式により水銀揮発率を算出した。
水銀揮発率（％）＝（Ａ−Ｂ）／Ａ×１００
【００３８】
これらの結果を以下の表１および表２に示す。
【表１】
2015178434.tif 000003
【００３９】
【表２】
2015178434.tif 000004
【００４０】
集塵ダストの輸送方向と水平面との間の傾斜角度を調整することによって、集塵ダストの水銀揮発率を変えられた。また、傾斜角度が５°および１０°の場合、本体部を傾斜させない場合に比べて、水銀揮発率が高くなった。さらに、傾斜角度が１０°の場合に、集塵ダストの水銀除去がもっとも高くなった。
【産業上の利用可能性】
【００４１】
本発明の揮発性成分含有物質の処理システムは、とくに、廃棄物を原料として利用するセメント製造設備に有効に適用することができる。
【符号の説明】
【００４２】
１  揮発性成分含有物質の処理システム
１０  加熱装置
１１  揮発性成分含有物質導入部
１２  本体部
１３  スクリューコンベア
１４  揮発性成分含有物質排出部
１５  揮発性成分排出部
１６  加熱ヒーター
２０  傾斜角度調整装置
２１  油圧シリンダ
３０  揮発性成分回収装置
４０  揮発性成分分析装置
Ｄ  揮発性成分含有物質
Ｋ  集塵装置
Ｌ  セメント原料
Ｖ  揮発性成分
【図１】
2015178434.tif 000005
【図２】
2015178434.tif 000006